(57)【要約】【課題】ファクシミリ（ファックス）データを中央集中式に統合管理する方法及びそのシステムを提供する。【解決手段】本発明のファックスデータ統合管理システムは、ファックス統合サーバー及び第１通信網（ＰＳＴＮ網）を通じてファックスデータを送受信し、該送受信されたファックスデータを第２通信網（インターネット網）を通じてファックス統合サーバーに伝送するファックス端末機を備える。ファックス統合サーバーは、ファックス端末機を通じて受信されたファックスデータをデータベースに保存してユーザーが要請した送信文書をデータベースに保存すると同時にファックス端末機に伝達して送信する。本発明によれば、空間の制約で管理が難しかった送受信ファックス文書をファックス統合管理サーバーで統合的に管理することによって、送受信されたファックス文書の活用度及び文書保安管理の効率性を高めうる。【選択図】図５
2009514480.tif 000002
【特許請求の範囲】
【請求項１】
ファクシミリ（ファックス）データの統合管理方法において、
（ａ）ファックス機器から送信ファックスデータを受信してキャプチャーする段階と、
（ｂ）前記送信ファックスデータを第１通信網を通じて第１ファックス装置に伝送する段階と、
（ｃ）前記キャプチャーした送信ファックスデータを前記第１ファックス装置の識別子と共に第２通信網を通じてファックス統合管理サーバーに伝送する段階と、を備えることを特徴とするファックスデータの統合管理方法。
【請求項２】
前記方法は、
（ｄ）第２ファックス装置から受信ファックスデータを前記第１通信網を通じて受信する段階と、
（ｅ）前記受信ファックスデータを前記第２ファックス装置の識別子と共に前記第２通信網を通じて前記ファックス統合管理サーバーに伝送する段階と、をさらに備えることを特徴とする請求項１に記載のファックスデータの統合管理方法。
【請求項３】
前記第１通信網は、ＰＳＴＮ網であり、前記第２通信網は、インターネット網であることを特徴とする請求項２に記載のファックスデータの統合管理方法。
【請求項４】
インターネット網を通じて複数のファックス装置と連結されるファックス統合サーバーでのファクシミリ（ファックス）データの統合管理方法において、
（ａ）前記複数のファックス装置から伝送した前記ファックスデータ及び前記複数のファックス装置から前記複数のファックス装置に伝送した前記ファックスデータを、それぞれのファックス装置に対する識別子と共に前記インターネット網を通じて伝送される段階と、
（ｂ）前記複数のファックス装置から伝送されたファックスデータを保存する段階と、
（ｃ）管理者の要請によって前記保存されたファックスデータを抽出して提供する段階と、を備えることを特徴とするファックスデータの統合管理方法。
【請求項５】
前記ファックスデータの統合管理方法は、
（ｄ）ユーザーから送信ファックスデータの伝送要請を受信する段階と、
（ｅ）前記ユーザーに相応するファックス装置の識別子を抽出する段階と、
（ｆ）前記抽出された識別子に相応するファックス装置に相手のファックス装置の識別子を含んで前記送信ファックスデータの伝送要請を送る段階と、をさらに備え、
前記抽出された識別子に相応するファックス装置は、前記送信ファックスデータを前記相手のファックス装置に伝送することを特徴とする請求項４に記載のファックスデータの統合管理方法。
【請求項６】
請求項１ないし請求項５のうち何れか一項の方法を行うためのプログラムとしてデジタル信号処理装置によって判読されて実行可能であるプログラムを記録した記録媒体。
【請求項７】
ファクシミリ（ファックス）データの統合管理するためにファックス機器に接続されて動作するファックス端末機において、
前記ファックス機器から送信ファックスデータを受信してキャプチャーするファックス機器接続部と、
前記送信ファックスデータを第１通信網を通じて第１ファックス装置に伝送する第１通信網接続部と、
前記キャプチャーした送信ファックスデータを前記第１ファックス装置の識別子と共に第２通信網を通じてファックス統合管理サーバーに伝送するサーバーインターフェース部と、を備えることを特徴とするファックス端末機。
【請求項８】
前記第１通信網接続部は、第２ファックス装置から受信ファックスデータを前記第１通信網を通じて受信し、
前記サーバーインターフェース部は、前記受信ファックスデータを前記第２ファックス装置の識別子と共に前記第２通信網を通じて前記ファックス統合管理サーバーに伝送することを特徴とする請求項７に記載のファックス端末機。
【請求項９】
前記第１通信網は、ＰＳＴＮ網であり、前記第２通信網は、インターネット網であることを特徴とする請求項８に記載のファックス端末機。
【請求項１０】
インターネット網を通じて複数のファックス装置と連結されるファックス統合サーバーにおいて、
前記複数のファックス装置から伝送した前記ファックスデータ及び前記複数のファックス装置から前記複数のファックス装置に伝送した前記ファックスデータを、それぞれのファックス装置に対する識別子と共に前記インターネット網を通じて伝送されるファックスデータ送受信部と、
前記複数のファックス装置から伝送されたファックスデータを保存するデータベースと、
管理者の要請によって前記保存されたファックスデータを抽出して提供するデータベース管理部と、を含むことを特徴とするファックス統合サーバー。
【請求項１１】
ファクシミリ（ファックス）データの統合管理するためのシステムにおいて、
ファックス統合サーバーと、
第１通信網を通じてファックスデータを送受信し、該送受信されたファックスデータを第２通信網を通じて前記ファックス統合サーバーに伝送するファックス端末機と、を備え、
前記ファックス統合サーバーは、前記ファックス端末機から受信されたファックスデータをデータベースに保存して管理することを特徴とするファックスデータ統合管理システム。
【請求項１２】
前記ファックス統合サーバーは、ユーザーの要請によって所定のファックス装置に伝送されるファックスデータを前記所定のファックス装置に対する識別子と共に前記ファックス端末機に伝送してファックス伝送要請をし、
前記ファックス端末機は、前記ファックス統合サーバーのファックス伝送要請に応答して前記所定のファックス装置に第１通信網を通じて前記伝送されるファックスデータを伝送することを特徴とする請求項１１に記載のファックスデータ統合管理システム。
【請求項１３】
前記第１通信網は、ＰＳＴＮ網であり、前記第２通信網は、インターネット網であることを特徴とする請求項１２に記載のファックスデータ統合管理システム。
【請求項１４】
前記ファックス統合サーバーは、
ユーザーあるいは管理者の要請によって、前記データベースに保存されたファックスデータを検索し、抽出して前記ユーザーあるいは管理者に提供することを特徴とする請求項１２に記載のファックスデータ統合管理システム。
【発明の詳細な説明】
【技術分野】
【０００１】
本発明は、ファクシミリ（ｆａｃｓｉｍｉｌｅ、以下'ファックス（ｆａｘ）'と称する）データ（ｄａｔａ）の管理に係り、特に、送受信されるファックスデータをサーバー（ｓｅｒｖｅｒ）で中央集中式に統合して管理する方法及びシステムに関する。
【背景技術】
【０００２】
インターネットの発達につれて電子メールを通じて文書及びデータの送受信が増加した。しかし、ファックスは、依然として法的な効力を有した文書を送受信する手段として広く使われている。ＩＴ技術の発達につれて、ファックスに関連付けた様々な機能およびサービスの開発や提供が増加している。たとえば、ウェブファックスサービス（ｗｅｂ  ｆａｘ  ｓｅｒｖｉｃｅ）は、ファックスから電子メールアカウントに、または電子メールアカウントからファックスにデータを伝送することができることによって、既存の一般ファックスの短所を補完する。
【０００３】
しかし、ファックスを通じて文書を送受信する場合には、送受信されたファックス文書を統合的に管理しにくい。ウェブファックスサービスのようなファックスソリューション（ｆａｘ  ｓｏｌｕｔｉｏｎ）の場合、ウェブファックスサーバーを用いてファックスデータを伝送して受信するので、ウェブファックスサーバーを通じて送受信されるファックスデータの統合管理はなされているが、一般のファックス機器と連動して一般のファックス機器で送受信されるファックスデータまで統合して管理することは難しい。また、既存のファックスソリューションの場合、ウェブファックスサーバーに多いＰＳＴＮ（Ｐｕｂｌｉｃ  Ｓｗｉｔｃｈｅｄ  Ｔｅｌｅｐｈｏｎｅ  Ｎｅｔｗｏｒｋ）ライン（ｌｉｎｅ）を連結しなければならないので、設置が難しく、空間上の制約がある。
【発明の開示】
【発明が解決しようとする課題】
【０００４】
本発明の目的は、ファックスデータを統合的に保存して管理することによって、送受信されるファックス文書の活用度及び文書管理の効率性を向上させる中央集中式ファックスデータの統合管理方法及びそのためのシステムを提供することである。
【０００５】
本発明の他の目的は、空間上の制約がなく、かつ設置が容易なファックスデータの統合管理システムを提供することである。
【課題を解決するための手段】
【０００６】
前記目的を果たすための本発明の望ましい一側面によれば、ファクシミリ（ファックス）データの統合管理方法において、（ａ）ファックス機器から送信ファックスデータを受信してキャプチャーする段階と、（ｂ）前記送信ファックスデータを第１通信網を通じて第１ファックス装置に伝送する段階と、（ｃ）前記キャプチャーした送信ファックスデータを前記第１ファックス装置の識別子と共に第２通信網を通じて前記ファックス統合管理サーバーに伝送する段階と、を備えるファックスデータの統合管理方法及びこれを実行するプログラムを記録した記録媒体が提供される。
【０００７】
前記目的を果たすための本発明の望ましい他の一側面によれば、インターネット網を通じて複数のファックス装置と連結されるファックス統合サーバーでのファクシミリ（ファックス）データの統合管理方法において、（ａ）前記複数のファックス装置から伝送した前記ファックスデータ及び前記複数のファックス装置から前記複数のファックス装置に伝送した前記ファックスデータを、それぞれのファックス装置に対する識別子と共に前記インターネット網を通じて伝送される段階と、（ｂ）前記複数のファックス装置から伝送されたファックスデータを保存する段階と、（ｃ）管理者の要請によって前記保存されたファックスデータを抽出して提供する段階と、を備えるファックスデータの統合管理方法及びこれを実行するプログラムを記録した記録媒体が提供される。
【０００８】
前記目的を果たすための本発明の望ましいまた他の一側面によれば、ファクシミリ（ファックス）データの統合管理するためのシステムにおいて、ファックス統合サーバーと、第１通信網を通じてファックスデータを送受信し、該送受信されたファックスデータを第２通信網を通じて前記ファックス統合サーバーに伝送するファックス端末機と、を備え、前記ファックス統合サーバーは、前記ファックス端末機から受信されたファックスデータをデータベースに保存して管理することを特徴とするファックスデータ統合管理システムが提供される。
【０００９】
前記ファックス端末機は、前記ファックス機器から送信ファックスデータを受信してキャプチャーするファックス機器接続部と、前記送信ファックスデータを第１通信網を通じて第１ファックス装置に伝送する第１通信網接続部と、前記キャプチャーした送信ファックスデータを前記第１ファックス装置の識別子と共に第２通信網を通じて前記ファックス統合管理サーバーに伝送するサーバーインターフェース部と、を備える。
【００１０】
前記ファックス統合サーバーは、複数のファックス装置から前記複数のファックス装置のそれぞれが、伝送したファックスデータ及び受信したファックスデータをファックス装置に対する識別子と共に前記インターネット網を通じて伝送されるファックスデータ送受信部と、前記複数のファックス装置から伝送されたファックスデータを保存するデータベースと、管理者の要請によって前記保存されたファックスデータを抽出して提供するデータベース管理部と、を備える。
【発明の効果】
【００１１】
本発明によれば、送受信されるファックス文書をファックス統合管理サーバーで統合的に管理することによって、送受信されたファックス文書の活用度及び管理の効率性を高めうる。特に、本発明によれば、多数の事業場を有する企業は、事業場と事業場との間に送受信するファックスデータを効率的に管理して統制することができる。
【発明を実施するための最良の形態】
【００１２】
本発明と本発明の動作上の利点及び本発明の実施によって達成される目的を十分に理解するためには、本発明の望ましい実施形態を例示する添付図面及び添付図面に記載の内容を参照しなければならない。以下、添付した図面を参照して、本発明の望ましい実施形態を説明することによって、本発明を詳しく説明する。各図面に付された同一参照符号は、同一部材を表わす。
【００１３】
図１は、本発明による中央集中式ファックスデータの統合管理システムの網構成を概略的に表わす図面である。これを参照すれば、本発明のファックスデータの統合管理システムは、ファックス統合サーバー１１０、ファックス端末機１２０ａ、１２０ｂ及びファックス機器１３０ａ、１３０ｂを含んで構成される。
【００１４】
ファックス機器１３０ａ、１３０ｂは、ファックスデータを送受信するための通常のファックス機器であって、ファックス端末機１２０ａ、１２０ｂのうち対応するファックス端末機に連結される。ファックス端末機１２０ａ、１２０ｂは、インターネット網１５０を通じてファックス統合サーバー１１０に接続される。
【００１５】
図１では、便宜上、二つのファックス機器１３０ａ、１３０ｂとファックス端末機１２０ａ、１２０ｂのみが図示されているが、さらに多いファックス装置（ファックス機器及びファックス端末機）がインターネット網１５０を通じてファックス統合サーバー１１０に接続可能であるいうことは当然である。
【００１６】
図２は、図１に図示されたファックス統合サーバー１１０の内部構成の一例を表わす構成図である。これを参照すれば、ファックス統合サーバー１１０は、制御部１１１、管理者／ユーザーインターフェース部１１２、ファックスデータ送／受信部１１３、データベース（ＤＢ）管理部１１４及びデータベース（ＤＢ）１１５を含む。図２ではＤＢ１１５がファックス統合サーバー１１０の内部に含まれて構成されると図示されているが、ファックス統合サーバー１１０と別途の外部データベースシステムとして具現されることもある。
【００１７】
管理者／ユーザーインターフェース部１１２は、ユーザーと管理者を認証する機能を行う。管理者／ユーザーインターフェース部１１２は、また、ユーザーと管理者がファックス統合サーバー１１０に直接あるいはインターネットを通じて接続してファックスデータ伝送要請をするか、保存されたファックスデータを検索し、必要時に検索されたデータをダウンロードすることができる機能を提供する。図１を参照すれば、ユーザーは、インターネット網１５０に接続可能なＰＣ１７０などを用いて、ファックス統合サーバー１１０に接続することができる。また、管理者は、管理者用の専用ターミナル１６０あるいはインターネット網１５０に接続可能なＰＣ１７０などを用いてファックス統合サーバー１１０に接続することができる。
【００１８】
ファックスデータ送／受信部１１３は、ユーザーからファックスデータの伝送要請を受信すれば、ユーザーに相応するファックス端末機の識別子を抽出する。ユーザーに相応するファックス端末機とは、ユーザーが属する事業場（例えば、図１のＡあるいはＢ事業場）の任意のあるいは特定のファックス端末機であることが望ましい。ユーザーは、自身が使うファックス端末機を予め指定することもできる。ファックス端末機の識別子は、ファックス端末機に付与された固有のＩＤであり、ファックス機器あるいはファックス端末機に割り当てられたファックス番号であり得る。
【００１９】
ファックス端末機の識別子が抽出されれば、該抽出された識別子に相応するファックス端末機にファックスデータの伝送要請を送る。このとき、ファックスデータ送／受信部１１３は、伝送されるファックスデータと共に相手のファックス番号をファックス端末機に提供する。したがって、ファックスデータ送／受信部１１３は、ウェブファックスサービス機能を行う。しかし、ウェブファックスサーバーから受信側のファックス装置にファックスデータを伝送する通常的なウェブファックスサービスとは異なって、本発明の一実施形態によるファックス統合サーバー１１０は、所定のファックス端末機にファックスデータの伝送を要請する。次いで、ファックス統合サーバー１１０の要請によってファックス端末機が受信側のファックス装置にファックスデータを伝送する。ファックス統合サーバー１１０の要請によってファックス端末機がファックスデータを伝送すれば、ファックス端末機は、ファックス伝送完了信号を送ることが望ましい。ファックス端末機からファックス伝送完了信号を受信すれば、ファックス統合サーバー１１０は、送信したファックスデータをＤＢ１１５に保存する。本発明の他の実施形態では、ファックス統合サーバー１１０は、ユーザーが要請した送信文書（送信ファックスデータ）をデータベース１１５に保存と同時に該当のファックス端末機に伝達して受信側のファックス装置に送信することができる。
【００２０】
前述したように、ファックス統合サーバー１１０が、直接受信側のファックス装置にファックスデータを伝送することではないので、ファックス統合サーバー１１０は、通常のウェブファックスサーバーと異なって、ＰＳＴＮ網に連結される必要がない。したがって、既存のウェブファックスサービスやファックスソリューションと異なって、本発明のファックス統合サーバー１１０は多数のＰＳＴＮラインに連結される必要がなくて、空間上の制約がほとんどない。また、ファックスデータ送／受信部１１３は、ファックス端末機１２０ａ、１２０ｂからファックスデータを受信する。受信されたファックスデータは、ＤＢ１１５に保存される。
【００２１】
ＤＢ管理部１１４は、ＤＢ１１５に保存されたファックスデータを管理する。ＤＢ管理部１１４は、また、ユーザーや管理者の要請によって保存されたファックスデータを検索する機能も提供する。このとき、保存されたファックスデータは、ユーザー別、ファックス端末機別、事業場（所定地域に位置するファックス端末機のグループ）別、期間別に多様に検索することができることが望ましい。特に、多数の事業場を有する企業では、事業場別（例えば、図１のＡ、Ｂ事業場）に管理者を置いて、管理者をして、該当の事業場で送信されたファックス文書と受信されたファックス文書とを検索して管理させる。これを通じて、事業場間に送受信するファックスデータを効率的に管理して統制することができる。
【００２２】
制御部１１１は、ファックス統合サーバー１１０の動作を全般的に制御する役割を果たす。
【００２３】
図３は、図１に図示されたファックス端末機１２０ａの内部構成の一例を表わす構成図である。これを参照すれば、ファックス端末機１２０ａは、ファックス機器接続部１２１、ＰＳＴＮ網接続部１２２及びサーバーインターフェース部１２３を含む。ファックス端末機１２０ａは、既存のファックス機器１３０ａに接続して、本発明によるファックス統合管理のためのファックスデータの送受信方法を行う。ファックス端末機１２０ａは、セットトップボックス（ｓｅｔ−ｔｏｐ  ｂｏｘ）形態として具現されて、一般的なファックス機器１３０ａと接続されることが望ましい。しかし、ファックス端末機１２０ａとファックス機器１３０ａとが一体型として具現されることもある。
【００２４】
ファックス機器接続部１２１は、ファックス機器１３０ａと接続して、ファックス機器１３０ａから受信側のファックス装置に伝送される送信文書を受信してキャプチャーし、また、ＰＳＴＮ網１４０を通じてファックスデータを受信してファックス機器１３０ａに伝達する。ＰＳＴＮ網接続部１２２は、ＰＳＴＮ網１４０を通じてファックスデータを送受信する役割を果たす。
【００２５】
サーバーインターフェース部１２３は、インターネット網１５０を通じてファックス統合サーバー１１０とインターフェースする役割を実行する。
【００２６】
図４は、本発明の一実施形態によるファックスデータ統合管理方法を表わすフローチャートであって、具体的には、ファックスデータの統合管理のためにファックス端末機で実行される過程を表わすフローチャートである。
【００２７】
これを参照すれば、電源がついた待機状態（Ａ）でファックス端末機は、ファックス端末機に接続されたファックス機器からファックスデータが送信されるかどうか、そして、外部ファックス装置からファックスデータが受信されるかどうかを絶えずにチェックする（Ｓ４１０、Ｓ４２０）。ファックス端末機に接続されたファックス機器から外部にファックスデータが送信されれば（Ｓ４１０）、ファックス機器からファックスデータを受信してＰＳＴＮ網を通じて受信側のファックス装置に伝送し、また、ファックスデータをキャプチャーする（Ｓ４１１）。同時に、ファックスデータの統合管理のために、キャプチャーしたファックスデータをインターネット網を通じてファックス統合サーバーにも伝送する（Ｓ４１２）。すなわち、ファックス端末機は、ファックス機器が外部にファックスデータを送信する時、送信されるファックスデータをキャプチャーして、これをインターネット網を通じてファックス統合サーバーに伝送する。
【００２８】
このとき、ファックス端末機は、ファックスデータと共に、送信ファックス装置の識別子（例えば、送信ファックス番号あるいは送信ファックス端末機の固有ＩＤ）及び受信ファックス装置の識別子をファックス統合サーバーに伝送することが望ましい。そして、ファックス端末機は、待機状態（Ａ）に復帰する。Ｓ４１０ないしＳ４１２段階は、ユーザーの要請によって、ファックス端末機が送信ファックスデータを送信する過程である。
【００２９】
一方、外部ファックス装置からファックスデータが受信されれば（Ｓ４２０）、該受信されたファックスデータを接続されているファックス機器に伝達して、受信されたファックスデータを出力させる（Ｓ４２１）。同時に、ファックスデータの統合管理のために、外部ファックス装置から受信したファックスデータをインターネット網を通じてファックス統合サーバーにも伝送する（Ｓ４２２）。このときにもやはり、ファックス端末機は、ファックスデータと共に、送信ファックス装置の識別子及び受信ファックス装置の識別子をファックス統合サーバーに伝送することが望ましい。そして、ファックス端末機は、待機状態（Ａ）に復帰する。Ｓ４２０ないしＳ４２２段階は、ファックス端末機が他のファックス装置からファックスデータを受信して処理する過程である。
【００３０】
前述したように、ファックス端末機は、ＰＳＴＮ網を通じてファックスデータを送受信し、また、送受信されたファックスデータの統合管理のために、送受信されたファックスデータをインターネット網を通じてファックス統合サーバーに伝送する。
図５は、本発明の他の一実施形態によるファックスデータ統合管理方法を表わすフローチャートであって、具体的には、ファックスデータの統合管理のために、ファックス統合サーバーで実行される過程を表わすフローチャートである。これを参照すれば、電源がついた待機状態（Ｂ）でファックス統合サーバーは、ファックス端末機からファックスデータが受信されるかどうか（Ｓ５１０）、ユーザーからファックス伝送要請があるかどうか（Ｓ５２０）、そして、管理者からファックスデータの検索要請があるかどうか（Ｓ５３０）などを絶えずにモニタリングする。
【００３１】
ファックス端末機からファックスデータが受信されれば（Ｓ５１０）、これをＤＢに保存する（Ｓ５１１）。このとき、ファックス端末機は、ファックスデータと共に、送信ファックス装置の識別子及び受信ファックス装置の識別子をファックス統合サーバーに伝送し、ファックス統合サーバーは、受信されたファックスデータを送受信ファックス装置の識別子と共にＤＢに保存することが望ましい。
【００３２】
ユーザーからファックス伝送要請がある場合には（Ｓ５２０）、まず、ユーザーに相応するファックス端末機の識別子を抽出する（Ｓ５２１）。ユーザーは、図２を参照して前述したように、ファックス統合サーバーに接続して、受信側を指定してファックスデータを伝送することができる。ユーザーがファックスデータの伝送を選択すれば、ファックス統合サーバーから受信側のファックス装置にファックスデータが伝送されることではなく、実際には、そのユーザーに相応するファックス端末機にファックスデータが送られた後、ファックス端末機から受信側のファックス装置にファックスデータを伝送することである。
【００３３】
そのために、抽出された識別子に相応するファックス端末機にファックスデータの伝送要請を送る（Ｓ５２２）。このとき、ファックスデータ送／受信部１１３は、伝送されるファックスデータと共に相手（すなわち、受信側）のファックス番号をファックス端末機に提供する。
【００３４】
次いで、ファックス端末機は、ファックスデータを受信側のファックス装置に伝送し、ファックス統合サーバーにファックス伝送完了信号を送信する。これにより、ファックス統合サーバーは、該当のファックス端末機からファックス伝送完了信号を受信する（Ｓ５２３）。次いで、ファックス統合サーバーは、ファックスデータをＤＢに保存し（Ｓ５２４）、待機状態（Ｂ）に復帰する。
【００３５】
ユーザーや管理者からファックスデータの要請がある場合には（Ｓ５３０）、ユーザーや管理者の要請によってＤＢで該当のファックスデータを抽出する（Ｓ５３１）。ファックス統合サーバーは、抽出されたファックスデータをユーザーあるいは管理者に提供する（Ｓ５３２）。ユーザーや管理者は、ファックス統合サーバーに接続して権限によって、保存されたファックスデータを検索し、該検索された結果を出力するか、ダウンロードされることができる。
【００３６】
本発明は、図面に図示された実施形態を参考にして説明されたが、これは例示的なものに過ぎず、当業者ならば、これより多様な変形及び均等な他実施形態が可能であるということを理解できるであろう。したがって、本発明の真の保護範囲は、特許請求の範囲によって決まるべきである。
【産業上の利用可能性】
【００３７】
本発明は、ファックス端末機または前記ファックス端末機を利用したファックスデータの統合管理方法で使用可能である。
【図面の簡単な説明】
【００３８】
【図１】本発明によるインターネットを通じる中央集中式ファックスデータ統合管理システムの網構成を概略的に説明するための図である。
【図２】ファックス統合サーバーの内部構成の一例を表わす構成図である。
【図３】ファックス端末機の内部構成の一例を表わす構成図である。
【図４】本発明の一実施形態によるファックスデータ統合管理方法を表わすフローチャートである。
【図５】本発明の一実施形態によるファックス送受信方法を表わすフローチャートである。
【符号の説明】
【００３９】
１１０：ファックス統合サーバー        
１２０ａ、１２０ｂ：ファックス端末機
１３０ａ、１３０ｂ：ファックス機器    
１４０：ＰＳＴＮ網
１５０：インターネット網
【図１】
2009514480.tif 000003
【図２】
2009514480.tif 000004
【図３】
2009514480.tif 000005
【図４】
2009514480.tif 000006
【図５】
2009514480.tif 000007
【国際調査報告】
2009514480.tif 000008
2009514480.tif 000009